(57)【要約】【課題】遊技盤に発泡部材を用いた弾球遊技機において、遊技釘の保持性を向上させることができる弾球遊技機を提供する。【解決手段】遊技盤３０の表面に複数の遊技釘３９が植設される弾球遊技機１０であって、遊技盤は、遊技者から見て遊技盤の遊技釘が植設されない領域に対応して配置され、発泡部材により構成される本体部１１０と、遊技者から見て遊技盤の遊技釘が植設される領域に対応して配置されると共に、遊技者側の面に遊技釘の一部が埋め込まれて遊技釘が装着され、本体部よりも硬度が高い複数の遊技釘装着部１２０と、遊技釘装着部同士を連結し、遊技釘装着部と一体に形成された連結部１３０と、を備えており、それぞれの遊技釘装着部が、連結部を介して他の遊技釘装着部と支持し合うように構成された。【選択図】図４
2013102819.tif 000002
【特許請求の範囲】
【請求項１】
遊技盤の表面に複数の遊技釘が植設される弾球遊技機であって、
前記遊技盤は、
遊技者から見て前記遊技盤の前記遊技釘が植設されない領域に対応して配置され、発泡部材により構成される本体部と、
遊技者から見て前記遊技盤の前記遊技釘が植設される領域に対応して配置されると共に、遊技者側の面に前記遊技釘の一部が埋め込まれて該遊技釘が装着され、前記本体部よりも硬度が高い複数の遊技釘装着部と、
前記遊技釘装着部同士を連結し、該遊技釘装着部と一体に形成された連結部と、
を備えており、
それぞれの前記遊技釘装着部が、前記連結部を介して他の前記遊技釘装着部と支持し合うように構成されたことを特徴とする弾球遊技機。
【請求項２】
前記遊技釘装着部及び前記連結部の遊技者側の面が露出して前記遊技盤の表面を構成していることを特徴とする請求項１に記載の弾球遊技機。
【発明の詳細な説明】
【技術分野】
【０００１】
本発明は弾球遊技機に関し、特に、遊技盤の表面に複数の遊技釘が植設される弾球遊技機に関するものである。
【背景技術】
【０００２】
従来、パチンコ遊技機等の弾球遊技機では、遊技盤として、ベニヤ等の木製のものの他に、樹脂製のものが使用されている。この樹脂製の遊技盤の中には、遊技釘の打ち込み易さや遊技盤の軽量化を考慮して、発泡剤を含有した発泡樹脂によって遊技盤を形成したものがある（例えば、特許文献１，２参照）。
【先行技術文献】
【特許文献】
【０００３】
【特許文献１】特開平１１−９９２４４号公報
【特許文献２】特開２００６−９４８７９号公報
【発明の概要】
【発明が解決しようとする課題】
【０００４】
しかしながら、前記したような発泡樹脂で形成された遊技盤では、発泡樹脂が、比較的硬度が低いものであるため、遊技釘の調整時等に、図１２に示すように、遊技釘３９に曲げ変形を生じさせる外力（図１２では、右方向への外力）を付与すると、遊技釘３９の遊技盤３０Ｃからの突出部分が変形する前に、遊技盤３０Ｃの遊技釘３９を支持する部分の樹脂部材４１０が潰れ変形し、釘穴４２１が拡がる虞があった。このような釘穴の変形は、遊技釘に繰り返し遊技球が衝突することで生じる虞もあり、遊技釘が抜け易くなって釘保持性の面で問題が生じていた。
【０００５】
一方、金属フォームと呼ばれる発泡金属によって遊技盤を形成する提案もされており、発泡倍率によるものの、上記の問題は、金属フォーム製の遊技盤の場合にも起こり得る。ここで、金属フォームとは、発泡スチロールなどに見られるセル構造を金属に応用したものであって、アルミニウムなどの金属粉末と発泡剤との混合物を、金属粉末の液相温度まで加熱することで、内部に多数の微少な気孔を閉じ込め、密度の低い金属素材として生成したものである。
【０００６】
本発明は、このような事情に鑑みてなされたものであり、遊技盤に発泡部材を用いた弾球遊技機において、遊技釘の保持性を向上させることができる弾球遊技機を提供することを目的とする。
【課題を解決するための手段】
【０００７】
かかる課題を解決するために、本発明の請求項１に記載の発明は、遊技盤の表面に複数の遊技釘が植設される弾球遊技機であって、前記遊技盤は、遊技者から見て前記遊技盤の前記遊技釘が植設されない領域に対応して配置され、発泡部材により構成される本体部と、遊技者から見て前記遊技盤の前記遊技釘が植設される領域に対応して配置されると共に、遊技者側の面に前記遊技釘の一部が埋め込まれて該遊技釘が装着され、前記本体部よりも硬度が高い複数の遊技釘装着部と、前記遊技釘装着部同士を連結し、該遊技釘装着部と一体に形成された連結部と、を備えており、それぞれの前記遊技釘装着部が、前記連結部を介して他の前記遊技釘装着部と支持し合うように構成された弾球遊技機としたことを特徴とする。
【０００８】
請求項１に係る発明によれば、遊技者から見て遊技盤の遊技釘が植設されない領域を、発泡部材により構成される本体部で構成する一方、遊技者から見て遊技盤の遊技釘が植設される領域には、遊技者側の面に遊技釘の一部が埋め込まれて遊技釘が装着可能な複数の遊技釘装着部を備え、この遊技釘装着部を本体部より硬度が高いもので形成したため、遊技釘に対して曲げ変形させる外力を付与した場合に、遊技釘を支持する部分が潰れ変形し難くなる。
【０００９】
また、請求項１に係る発明によれば、遊技釘装着部同士を、遊技釘装着部と一体に形成された連結部で機械的に連結しており、それぞれの遊技釘装着部が、連結部を介して他の遊技釘装着部と支持し合うように構成されているため、遊技釘装着部に装着されている遊技釘の調整を行う場合等で、遊技釘を介して遊技釘装着部に曲げ変形を生じさせる外力が付与されて遊技釘が遊技釘装着部ごと傾こうとする力が作用したときに、連結部を介して他の遊技釘装着部が、外力が付与された遊技釘装着部を支持して、当該遊技釘装着部の周囲の本体部の発泡部材が潰れ変形して遊技釘装着部ごと傾くことを防止できる。
【００１０】
また、本発明の請求項２に記載の発明は、請求項１に記載の構成に加えて、前記遊技釘装着部及び前記連結部の遊技者側の面が露出して前記遊技盤の表面を構成している弾球遊技機としたことを特徴とする。
【００１１】
請求項２に係る発明によれば、遊技釘装着部及び連結部の遊技者側の面が露出して遊技盤の表面を構成しているため、遊技釘の保持性を向上させつつ、遊技盤の表面を硬度の高いもので形成することで、遊技球の衝突等による傷を付き難くすることができる。
【図面の簡単な説明】
【００１２】
【図１】本発明の第１の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の遊技盤の一部拡大斜視図である。
【図５】図４のＡ−Ａ断面図である。
【図６】図４の遊技盤に遊技釘が植設された状態の一部拡大斜視図である。
【図７】図６のＢ−Ｂ断面図である。
【図８】本発明の第２の実施の形態におけるパチンコ遊技機の遊技盤の一部拡大斜視図である。
【図９】図８のＢ−Ｂ断面図である。
【図１０】本発明の第３の実施の形態におけるパチンコ遊技機の遊技盤の一部拡大斜視図である。
【図１１】本発明の第１の実施の形態におけるパチンコ遊技機の遊技盤に植設された遊技釘に外力を付与したときの様子を示す一部拡大断面図である。
【図１２】従来のパチンコ遊技機の遊技盤に植設された遊技釘に外力を付与したときの様子を示す一部拡大断面図である。
【発明を実施するための形態】
【００１３】
以下、本発明の実施の形態における弾球遊技機について図面を参照しながら説明する。なお、本発明の実施の形態では、弾球遊技機としてパチンコ遊技機を例に説明している。［第１の実施の形態］
【００１４】
まず、本発明の第１の実施の形態における弾球遊技機全体の概略構成について図１及び図２を用いて説明する。図１は、本発明の第１の実施の形態におけるパチンコ遊技機を表面側からみた斜視図であり、図２は、同パチンコ遊技機を背面側からみた斜視図である。
【００１５】
本発明の第１の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１６】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１７】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１８】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１９】
上述の遊技盤３０は、前枠１２の後面に装着されている。以下、この遊技盤３０に備えられる各構成部材について図３を参照して詳細に説明する。図３は、本発明の第１の実施の形態における遊技盤３０の正面図である。この遊技盤３０は、上述のように前枠１２の後面に装着されており、窓枠１３の透明板１７ａに前方から覆われている。なお、遊技盤３０自体の詳細な説明については後述する。
【００２０】
遊技盤３０は、その遊技者側の表面に有する盤面等に各構成部材を固定する板状の部材であり、本実施の形態では樹脂で構成されている。ガイドレール３２は、この遊技盤３０の前記透明板１７ａと対向する表面側の盤面に固定されて、この遊技盤３０上に、パチンコ球の発射通路３１ａと、発射されたパチンコ球が転動しながら流下する遊技領域３１ｂとを区画形成する。遊技盤３０における遊技領域３１ｂのほぼ中央部には、当該遊技盤３０に貫設された開口部３８が形成されている。この開口部３８の周縁には、センター装飾部材４０が付設されている。また、センター装飾部材４０には、開口部３８の下部を覆うように、ステージ５０が形成されている。
【００２１】
また、遊技領域３１ｂにおいては、遊技盤３０に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００２２】
また、遊技領域３１ｂにおける遊技盤３０の盤面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００２３】
また、遊技盤３０に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２４】
また、遊技領域３１ｂ内において、演出表示装置３７の下方には、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２５】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２６】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ５０に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ５０に誘導されるようになっている。
【００２７】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２８】
また、演出表示装置３７の下部前方には、可動役物４１が配置されている。この可動役物４１は、演出表示装置３７とステージ５０の間に設けられる収容空間に収容されている。
【００２９】
以下、本実施の形態における遊技盤３０について、図４〜図７を参照して詳細に説明する。図４は、本発明の第１の実施の形態における遊技盤の一部拡大斜視図であり、図５は、図４のＡ−Ａ断面図であり、図６は、図４の遊技盤に遊技釘が植設された状態の一部拡大斜視図であり、図７は、図６のＢ−Ｂ断面図である。
【００３０】
本実施の形態における遊技盤３０は、図４及び図５に示すように、樹脂製の板状の部材であり、２色成形にて成形された、本体部としての本体部材１１０と、遊技釘装着部としての遊技釘装着部材１２０と、連結部としての連結部材１３０とを備えている。
【００３１】
このうち、まず、本体部材１１０について説明する。本実施の形態の本体部材１１０は、後で詳述する遊技釘装着部材１２０及び連結部材１３０が配設された領域以外を埋めて遊技盤３０が板状部材になるように配設されたものであり、発泡剤を含有する発泡樹脂（発泡部材）で遊技釘装着部材１２０及び連結部材１３０より軽量かつ硬度が低いもので構成されている。この発泡樹脂としては、例えば、ポリ塩化ビニル，ポリプロピレン，ポリエチレン等に発泡剤を含有させたものが挙げられる。また、この本体部材１１０を構成する発泡樹脂は、低発泡で独立気泡型のものが好ましい。ここで、独立気泡型とは、樹脂成形後の状態において、連続気泡型のように気泡同士が繋がって大きな気泡を生成するものでなく、樹脂内の個々の気泡が繋がらずに独立して存在するものを言う。この独立気泡型の発泡樹脂は、気泡の大きさのばらつきを小さくすることができ、成形樹脂の強度が場所によってばらつくのを抑えることができる、という利点がある。
【００３２】
次に、遊技釘装着部材１２０について説明する。本実施の形態の遊技釘装着部材１２０は、図４〜図７に示すように、遊技盤３０の盤面（遊技者側の表面）における遊技釘３９が植設されたそれぞれの領域に所定の間隔を隔てて配設されている。また、この遊技釘装着部材１２０は、遊技盤３０の盤面からその一部が露出するように、本体部材１１０に埋設されている。そして、１つの遊技釘装着部材１２０につき、１つの遊技釘３９が、その一部が埋め込まれて残りの部分が遊技者側に突出するように遊技盤３０の盤面に装着可能となるように形成されている。この遊技釘装着部材１２０は、発泡剤を含有しない非発泡樹脂（ソリッド樹脂）で本体部材１１０より重くかつ硬度が高いもので構成されている。この非発泡樹脂としては、例えば、ポリカーボネート、アクリル等が挙げられる。また、本実施の形態の遊技釘装着部材１２０は、遊技釘３９の遊技盤３０に挿入する部位の直径よりも小さい径の貫通穴１２１を備えた筒状部材に形成されており、貫通穴１２１が遊技盤３０の表面から裏面に貫通する大きさ及び形状に形成されている。そして、図６及び図７に示すように、このように形成された遊技釘装着部材１２０の貫通穴１２１に遊技釘３９を圧入して、遊技釘３９が締まり嵌めされるようになっている。
【００３３】
なお、遊技釘装着部材１２０における遊技釘３９を圧入する箇所に、予め穴（下穴）が設けられていることで、遊技釘３９を遊技盤３０に取り付ける際に、位置決めが簡単で取付位置がずれる心配がなくなり、かつ、取付作業も穴のないところに遊技釘３９を打ち込むよりも簡単に行うことができる。また、遊技釘装着部材１２０における遊技釘３９を圧入する穴が有底穴であると、遊技釘３９を圧入させた際に、穴の中の空気が圧縮されて取り付けた遊技釘３９を押し戻す方向に力が働き、その結果、それぞれの遊技釘３９によって遊技盤３０への圧入量に変化が生じて、遊技釘３９の取付精度が悪くなるという問題が生じるが、ここでは、遊技釘装着部材１２０における遊技釘３９を圧入する穴が、遊技盤３０の表面から裏面に貫通する貫通穴１２１となっている。そのため、遊技釘３９の圧入時に穴の中の空気が反対側から抜けて当該空気による遊技釘３９を押し戻す力が生じず、スムーズかつ取付精度良く、遊技盤３０に遊技釘３９を取り付けることができる。
【００３４】
次に、連結部材１３０について説明する。本実施の形態の連結部材１３０は、図４〜図７に示すように、隣り合う遊技釘装着部材１２０の間に架設されて当該遊技釘装着部材１２０同士を連結するものであり、遊技釘装着部材１２０と一体に形成されている。この連結部材１３０は、遊技釘装着部材１２０と同じ発泡剤を含有しない非発泡樹脂（ソリッド樹脂）で本体部材１１０より重くかつ硬度が高いもので構成されている。この非発泡樹脂としては遊技釘装着部材１２０と同じく、例えば、ポリカーボネート、アクリル等が挙げられる。また、本実施の形態の連結部材１３０は、略円柱形状の部材であり、その軸方向が遊技盤３０の盤面と略平行となる向きで配設されて、遊技釘装着部材１２０の側面部分同士を繋ぐ位置に１つずつ形成され、本体部材１１０によって遊技盤３０の内部に埋設されるようになっている。
【００３５】
なお、連結部材１３０の大きさや形状、配設位置、配設方向、配設数等は、本体部材１１０と遊技釘装着部材１２０の材質や大きさ、形状等に応じて適宜に形成すれば良い。例えば、本実施の形態の連結部材１３０は、遊技盤３０の表面から露出しない内部に配設されるように本体部材１１０に埋設されていたが、連結部材１３０の一部が遊技盤３０の遊技者側の表面又は遊技者側と反対側の表面に露出（遊技盤の表面と面一になるように露出する場合、遊技盤の表面から突出するように露出する場合の双方有り）するように本体部材１１０に埋設されていても良い。
【００３６】
また、連結部材１３０でどの遊技釘装着部材１２０同士を連結するかについても、本体部材１１０と遊技釘装着部材１２０の材質や大きさ、形状等に応じて適宜に選択して形成するようにすれば良い。すなわち、図４に例示した遊技盤３０の遊技釘装着部材１２０は、その全てが連結部材１３０によって連結されて１つの連結体を構成していたが、全ての遊技釘装着部材１２０が必ずしも連結していなくても良い。例えば、いくつかの遊技釘装着部材１２０が連結部材１３０で連結されて連結体を成したものが、複数配設されていても良い。また、その連結の仕方や連結数は、遊技盤３０の中の配設場所等によって適宜変化していても良い。例えば、本実施の形態では、遊技盤３０における上下左右に隣り合う遊技釘装着部材１２０同士を連結部材１３０で連結するようになっていたが、遊技盤３０における斜め方向に隣り合う遊技釘装着部材１２０同士を連結部材１３０で連結するようになっていても良い。また、遊技盤３０において隣り合っているとは言えない程度離れた位置にある遊技釘装着部材１２０同士を連結部材１３０で連結するようになっていても良い。また、遊技盤の中の配設場所等によっては、連結部材１３０で連結されていない独立した遊技釘装着部材１２０があっても良い。
【００３７】
次に、本実施の形態における遊技盤３０の製造方法について説明する。
【００３８】
本実施の形態の遊技盤３０は、所謂２色成形によって成形されるようになっている。以下、その製造工程（特に成形工程）について詳述する。なお、ここでは、図４に示すような、複数の遊技釘装着部材１２０が連結部材１３０で連結された連結体と、それらが埋まるように板状に成形される本体部材１１０とで構成される遊技盤３０の製造工程について説明する。
【００３９】
まず、第１成形工程として、遊技釘装着部材１２０と連結部材１３０を一体成形する。２色成形機に所定の可動型と固定型をセットして第１成形工程用の所定位置で金型を閉じ、当該金型内に硬度の高い非発泡樹脂を射出して、複数の遊技釘装着部材１２０と複数の連結部材１３０を一体に成形する。このとき、遊技釘３９の遊技盤３０に挿入する部位の直径より小さい径の貫通穴１２１が遊技釘装着部材１２０の外形と同時に形成されて筒状部材を構成するように、金型が形成されている。また、連結部材１３０は、複数の遊技釘装着部材１２０の成形箇所同士を繋いだ樹脂の流路となる箇所をそのまま利用して成形される。そのため、樹脂が流れ易いように、連結部材１３０は略円柱形状に形成されるようになっている。このようにして、硬度の高い樹脂からなって釘調整に耐えることができる強度を有し、かつ、遊技釘３９を挿入させる貫通穴１２１が予め形成された複数の遊技釘装着部材１２０及びそれらを連結する複数の連結部材１３０を形成する。
【００４０】
上記のようにして遊技釘装着部材１２０と連結部材１３０が成形された後、次に、第２成形工程として、本体部材１１０が成形される。２色成形機において、第１成形工程で複数の遊技釘装着部材１２０と連結部材１３０が成形された状態の可動型を回転させ、第２成形工程用の所定位置で再び固定型とセットして金型を閉じ、当該金型内に発泡樹脂を射出して、複数の遊技釘装着部材１２０と複数の連結部材１３０の周りに板状の本体部材１１０を成形する。このとき、成形された遊技盤３０の表面と裏面に、丁度、遊技釘装着部材１２０の貫通穴１２１の端同士が位置するように、遊技釘装着部材１２０が可動型と固定型で挟持されると共に、金型の一部が貫通穴１２１に挿入された状態となって発泡樹脂が入り込まないようにされている。さらに、発泡樹脂で連結部材１３０を覆うことで、当該連結部材１３０が本体部材１１０の内部に埋まっている状態に形成する。なお、本実施の形態の遊技盤３０は、遊技釘３９を上方に５°傾けた状態で取り付ける構成となっており、第２成形工程で本体部材１１０を成形する際に、本体部材１１０の表面に対して、遊技釘装着部材１２０の貫通穴１２１が垂直状態から５°傾いた状態で固定されるように、金型が調整されている。また、本実施の形態では、センター装飾部材４０を取り付ける開口部３８や、始動入賞口３３、大入賞口３４、一般入賞口３５、アウト口３６等の遊技盤３０を貫通させる穴が、第２成形工程の本体部材１１０の成形時に同時に形成されるように金型が構成されている。
【００４１】
その後、成形された遊技盤３０を金型から抜き取り、その後、種々の後処理を行って遊技盤３０を完成させる。
［第２の実施の形態］
【００４２】
次に、本発明の第２の実施の形態に係るパチンコ遊技機について、図８及び図９を用いて説明する。図８は、本発明の第２の実施の形態におけるパチンコ遊技機の遊技盤の一部拡大斜視図であり、図９は、図８のＢ−Ｂ断面図である。なお、本実施の形態のパチンコ遊技機は、下記の遊技盤３０Ａに関する構成以外は、前記した第１の実施の形態と同様であるので、同様の構成に同じ符号を付して、説明を省略する。また、遊技盤３０Ａの製造方法は、前記した第１の実施の形態とほぼ同様の２色成形によるものであるため、説明を省略する。
【００４３】
本実施の形態のパチンコ遊技機１０では、図８及び図９に示すように、遊技盤３０Ａにおける複数の遊技釘装着部としての遊技釘装着部材２２０同士を連結する連結部としての連結部材２３０が、本体部としての本体部材２１０の遊技者側の表面を覆うと共に遊技釘装着部材２２０と一体に形成されている。また、このように、連結部材２３０は、遊技者側の面が露出していることで、遊技釘装着部材２２０の遊技者側に露出した一部（貫通穴２２１が露出していて空いている部分）と共に遊技盤３０Ａの盤面（遊技盤３０Ａの遊技者側の表面）を構成している。
【００４４】
これにより、本実施の形態の連絡部材２３０は、遊技盤３０Ａの全ての遊技釘装着部材２２０同士を連結する構成となっている。また、連結部材２３０が本体部材２１０の遊技者側の表面を覆って遊技盤３０Ａの盤面を構成しているため、本体部材２１０は連結部材２３０の裏面側（遊技盤３０Ａの裏面側）に形成される構成となっている。また、本実施の形態では、連結部材２３０の厚み（遊技盤３０Ａの表面側から裏面側に向かう方向の長さ）は、本体部材２１０の厚みよりも薄く形成されている。これは、連結部材２３０が硬度が高く重量の重い非発泡樹脂で構成されており、本体部材２１０が硬度が低く重量の軽い発泡樹脂で構成されているため、遊技盤３０Ａ全体としての重量増を抑制するためである。
［第３の実施の形態］
【００４５】
次に、本発明の第３の実施の形態に係るパチンコ遊技機について、図１０を用いて説明する。図１０は、本発明の第３の実施の形態におけるパチンコ遊技機の遊技盤の一部拡大斜視図である。なお、本実施の形態のパチンコ遊技機は、下記の遊技盤３０Ｂに関する構成以外は、前記した第１の実施の形態と同様であるので、同様の構成に同じ符号を付して、説明を省略する。また、遊技盤３０Ｂの製造方法は、前記した第１の実施の形態とほぼ同様の２色成形によるものであるため、説明を省略する。
【００４６】
本実施の形態のパチンコ遊技機１０では、図１０に示すように、遊技盤３０Ｂにおける非発泡樹脂からなり、１つの遊技釘３９を装着する遊技釘装着部３２０同士が、その間に配置されて当該遊技釘装着部３２０と一体に形成された連結部３３０Ａを介して連結されることで、複数の遊技釘３９が装着される一体の部材３１１を構成するようになっている。ここでは、３つの遊技釘装着部３２０とその間の２つの連結部３３０Ａで、３つの遊技釘３９を装着可能な一体の部材３１１を構成している。すなわち、１つの一体の部材３１１が、連結部３３０Ａで繋がれた所定の間隔を隔てて、それぞれ貫通穴３２１を有する３つの遊技釘装着部３２０を備えており、それぞれの貫通穴３２１に遊技釘３９が圧入されるようになっている。また、３つの遊技釘３９が圧入可能とされた一体の部材３１１同士は、前記した第１の実施の形態の連結部材１３０と同様の、略円柱形状の連結部としての連結部材３３０Ｂで連結されており、この周囲を発泡樹脂からなる本体部としての本体部材３１０で覆って板状部材の遊技盤３０Ｂになるように構成されている。
【００４７】
このように遊技釘装着部３２０と連結部３３０Ａが一体に形成されて、一体の部材３１１で複数の遊技釘３９が装着可能に構成されているものは、狭い範囲に複数の遊技釘３９を配設する必要があるとき等に、１つの遊技釘３９が装着可能な遊技釘装着部材１２０を独立した状態で複数配設して、それらを連結部材１３０で連結する場合比べて、配設し易いという利点がある。また、遊技釘３９同士の位置決めも、より正確に行うことができる。
【００４８】
なお、前記した第２の実施の形態の遊技盤３０Ａの構成と第３の実施の形態の遊技盤３０Ｂの構成は、互いに合わせて用いても良い。すなわち、貫通穴を有する複数の遊技釘装着部同士を連結する連結部が、本体部材の遊技者側の表面を覆って遊技釘装着部の一部と共に遊技盤の盤面を構成するように形成されており、かつ、遊技釘装着部のいくつかは一体の部材となるように下方まで太く連結されている構成となっていても良い。このように構成されていることで、双方の利点を共有することができる。
【００４９】
また、前記した第１の実施の形態の遊技盤３０の構成と第２の実施の形態の遊技盤３０Ａの構成も、互いに合わせて用いても良い。すなわち、貫通穴を有する遊技釘装着部材同士を連結する連結部材が、本体部材の遊技者側の表面を覆って遊技釘装着部材の一部と共に遊技盤の盤面を構成するように形成されており、さらに、これとは別に遊技盤の内部にも、遊技釘装着部材同士を連結する連結部材（例えば、略円柱形状の連結部材等）を有する構成となっていても良い。このように構成されていることで、第２の実施の形態の利点を有した上で、さらに遊技釘装着部材同士を強固に支持し合う構成とすることができる。
【００５０】
以上のように、本発明の各実施の形態のパチンコ遊技機（弾球遊技機）１０は、盤面（遊技盤３０，３０Ａ，３０Ｂの遊技者側の表面）に複数の遊技釘３９が植設されるパチンコ遊技機（弾球遊技機）１０であって、前記遊技盤３０，３０Ａ，３０Ｂは、遊技者から見て前記遊技盤３０，３０Ａ，３０Ｂの前記遊技釘３９が植設されない領域に対応して配置され、発泡剤を含有する発泡樹脂（発泡部材）により構成される本体部としての本体部材１１０，２１０，３１０と、遊技者から見て前記遊技盤３０，３０Ａ，３０Ｂの前記遊技釘３９が植設される領域に対応して配置されると共に、遊技者側の面に前記遊技釘３９の一部が埋め込まれて該遊技釘３９が装着され、発泡剤を含有しない非発泡樹脂により形成されて前記本体部材１１０，２１０，３１０よりも硬度が高い複数の遊技釘装着部材１２０，２２０又は遊技釘装着部３２０と、前記遊技釘装着部材１２０，２２０同士又は遊技釘装着部３２０同士を連結し、該遊技釘装着部材１２０，２２０又は遊技釘装着部３２０と一体に形成された連結部材１３０，２３０，３３０Ｂ又は連結部３３０Ａと、を備えており、それぞれの前記遊技釘装着部材１２０，２２０又は遊技釘装着部３２０が、前記連結部材１３０，２３０，３３０Ｂ又は連結部３３０Ａを介して他の前記遊技釘装着部材１２０，２２０又は遊技釘装着部３２０と支持し合うように構成されたパチンコ遊技機（弾球遊技機）１０としたことを特徴とする。
【００５１】
そして、本発明の各実施の形態のパチンコ遊技機（弾球遊技機）１０によれば、遊技者から見て遊技盤３０，３０Ａ，３０Ｂの遊技釘３９が植設されない領域を、発泡剤を含有する発泡樹脂（発泡部材）により構成される本体部材１１０，２１０，３１０で構成する一方、遊技者から見て遊技盤３０，３０Ａ，３０Ｂの遊技釘３９が植設される領域には、遊技者側の面に遊技釘３９の一部が埋め込まれて遊技釘３９が装着可能な複数の遊技釘装着部材１２０，２２０又は遊技釘装着部３２０を備え、この遊技釘装着部材１２０，２２０又は遊技釘装着部３２０を本体部材１１０，２１０，３１０より硬度が高く発泡剤を含有しない非発泡樹脂により形成したため、遊技盤３０，３０Ａ，３０Ｂ全体を非発泡樹脂により形成する場合に比べて、遊技盤３０，３０Ａ，３０Ｂの重量増を少なく抑えつつ、図１１に示すように、遊技釘３９に対して曲げ変形させる外力（図１１では、右方向への外力）を付与した場合に、遊技釘３９を支持する部分（図１１の遊技釘装着部材１２０の貫通穴１２１）が潰れ変形し難くなり、遊技釘３９の保持性を向上させることができる（なお、図１１では、本発明の第１の実施の形態の構成を例に図示しているが、他の実施の形態においても同様である。）。
【００５２】
すなわち、樹脂製の遊技盤３０，３０Ａ，３０Ｂにおいて、遊技釘３９の調整等を行うことによって遊技釘３９が遊技盤３０，３０Ａ，３０Ｂから抜けてしまうことを防止するため、遊技釘３９が圧入される貫通穴１２１，２２１，３２１は硬度が高い（つまり、釘保持性の高い）樹脂で形成する必要があるが、遊技釘３９が圧入される貫通穴１２１，２２１，３２１以外の本体部材１１０，２１０，３１０の箇所は、同様の硬度を必要としないため、当該箇所を軽量の発泡樹脂（発泡部材）で構成することにより、遊技盤３０，３０Ａ，３０Ｂ全体としての重量を軽量化することが可能となる。
【００５３】
また、本発明の各実施の形態のパチンコ遊技機（弾球遊技機）１０によれば、図４，図５，図８〜図１０に示すように、遊技釘装着部材１２０，２２０又は遊技釘装着部３２０同士を、遊技釘装着部材１２０，２２０又は遊技釘装着部３２０と一体に形成された連結部材１３０，２３０，３３０Ｂ又は連結部３３０Ａで機械的に連結しており、それぞれの遊技釘装着部材１２０，２２０又は遊技釘装着部３２０が、連結部材１３０，２３０，３３０Ｂ又は連結部３３０Ａを介して他の遊技釘装着部材１２０，２２０又は遊技釘装着部３２０と支持し合うように構成されているため、遊技釘装着部材１２０，２２０又は遊技釘装着部３２０に装着されている遊技釘３９の調整を行う場合等で、遊技釘３９を介して遊技釘装着部材１２０，２２０又は遊技釘装着部３２０に曲げ変形を生じさせる外力が付与されて遊技釘３９が遊技釘装着部材１２０，２２０又は遊技釘装着部３２０ごと傾こうとする力が作用したときに、図７に示すように、連結部材１３０，２３０，３３０Ｂ又は連結部３３０Ａを介して他の遊技釘装着部材１２０，２２０又は遊技釘装着部３２０が、外力が付与された遊技釘装着部材１２０，２２０又は遊技釘装着部３２０を支持して、当該遊技釘装着部材１２０，２２０又は遊技釘装着部３２０の周囲の本体部材１１０，２１０，３１０の発泡樹脂（発泡部材）が潰れ変形して遊技釘装着部材１２０，２２０又は遊技釘装着部３２０ごと傾くことを防止でき、遊技釘装着部材１２０，２２０又は遊技釘装着部３２０がそれぞれ連結せずに独立して配設されているものに比べて、複数ある遊技釘装着部材１２０，２２０又は遊技釘装着部３２０全体で遊技釘３９を支持して遊技釘３９の保持性をより向上させることができる（なお、図７では、本発明の第１の実施の形態の構成を例に図示しているが、第２の実施の形態及び第３の実施の形態においても同様である。）。また、連結部材１３０，２３０，３３０Ｂ又は連結部３３０Ａで各遊技釘装着部材１２０，２２０又は遊技釘装着部３２０同士が連結されていることで、遊技盤３０，３０Ａ，３０Ｂにおける遊技釘３９を配設する箇所の位置決めを正確に行うことができる。
【００５４】
また、本発明の各実施の形態では、連結部材１３０，２３０，３３０Ｂ又は連結部３３０Ａは、複数の遊技釘装着部材１２０，２２０又は遊技釘装着部３２０の成形時に非発泡樹脂が流れる流路を兼ねており、その結果、成形時に必要な非発泡樹脂の流路に対し、後で切断する等の処理を行う必要がなくなるため、遊技盤３０，３０Ａ，３０Ｂの製造効率を向上させることができる。
【００５５】
また、遊技盤３０，３０Ａ，３０Ｂが硬度の高い非発泡樹脂のみで構成されていると、当該遊技盤３０，３０Ａ，３０Ｂに取り付けられた遊技釘３９の弾性力が高くなり過ぎ、パチンコ球が遊技釘３９に当たったときの跳ね方が大きくなってしまい、これを調整するのが困難となる、という問題が生じる。しかし、本実施の形態の遊技盤３０，３０Ａ，３０Ｂのように、硬度の高い非発泡樹脂と硬度の低い発泡樹脂とが組み合わされた構成の遊技盤では、発泡樹脂と非発泡樹脂の比率や配置位置等によって、当該遊技盤３０，３０Ａ，３０Ｂに取り付けられた遊技釘３９の弾性力を調整することが可能になり、その結果、パチンコ球が遊技釘３９に当たったときの跳ね方を低くしたり高くしたり調整することができる。
【００５６】
また、遊技釘３９を硬度の高い非発泡樹脂で構成された箇所に下穴なしで挿入しようとすると、応力が掛かってひびが入ってしまう可能性が高いため、ドリル等で穴を空けてから遊技釘３９を挿入させる必要があり、製造時の作業効率が悪くなるという問題が生じる。しかし、本発明の各実施の形態のように、遊技盤３０，３０Ａ，３０Ｂの遊技釘装着部材１２０に、遊技釘３９を挿入するための下穴となる貫通穴１２１が成形時に予め形成されていると、応力が掛かってひびが入る心配もなく、製造時の作業効率も向上させることができる。
【００５７】
また、本発明の各実施の形態では、遊技盤３０，３０Ａ，３０Ｂの本体部材１１０，２１０，３１０を発泡樹脂から成形する際に、センター装飾部材４０を取り付ける開口部３８や、始動入賞口３３、大入賞口３４、一般入賞口３５、アウト口３６等の遊技盤３０，３０Ａ，３０Ｂを貫通させる穴が同時に形成されるように、成形時の金型が構成されている。これにより、遊技盤３０，３０Ａ，３０Ｂを成形した後に、切削等によって遊技盤３０，３０Ａ，３０Ｂを貫通させる穴を形成する場合と比べて、製造時の作業効率を向上させることができ、遊技盤３０，３０Ａ，３０Ｂの製造効率を向上させることができる。
【００５８】
また、本発明の第２の実施の形態のパチンコ遊技機（弾球遊技機）１０は、前記した構成に加えて、前記遊技釘装着部材２２０及び前記連結部材２３０の遊技者側の面が露出して前記遊技盤３０Ａの盤面（遊技盤３０Ａの遊技者側の表面）を構成しているパチンコ遊技機（弾球遊技機）１０としたことを特徴とする。
【００５９】
そして、本発明の第２の実施の形態のパチンコ遊技機（弾球遊技機）１０によれば、図８及び図９に示すように、遊技釘装着部材２２０及び連結部材２３０の遊技者側の面が露出して遊技盤３０Ａの盤面（遊技盤３０Ａの遊技者側の表面）を構成しているため、遊技盤３０Ａの重量増を少なく抑えつつ、遊技釘３９の保持性を向上させ、かつ、遊技盤３０Ａの表面を硬度の高い非発泡樹脂で形成することで、パチンコ球（遊技球）の衝突等による傷を付き難くすることができる。
【００６０】
すなわち、連結部材２３０が遊技盤３０Ａの表面部材を構成することにより、遊技盤３０Ａ表面全体を硬度の高い非発泡樹脂で形成することが可能となり、転動するパチンコ球などによる遊技盤３０Ａへの傷を付き難くすることができる。
【００６１】
また、これに加えて、連結部材２３０を透明樹脂で形成して表面部材を構成させ、この連結部材２３０の裏面側に凹凸を設けたり、印刷などを施したりすることにより、遊技盤３０Ａのデザイン性を向上させることができる。しかも、当該凹凸を設けたり印刷を施したりした連結部材２３０の裏面側の箇所は、パチンコ球が直接触れない部分であることから、パチンコ球の転動によって凹凸や印刷が削られることも防止することができる。
【００６２】
なお、以上説明した各実施の形態は、本発明の理解を容易にするために記載されたものであって、本発明を限定するために記載されたものではない。
【００６３】
例えば、前記した各実施の形態では、弾球遊技機としてパチンコ遊技機を挙げて説明したが、本発明はこれに限るものではなく、アレンジボール等の他の弾球遊技機にも適用可能である。
【００６４】
また、前記した各実施の形態では、遊技釘装着部材又は遊技釘装着部が、遊技盤の表面から裏面に貫通する貫通穴を備えた筒状部材又は筒状部に形成されていたが、本発明はこれに限るものではなく、条件によっては、遊技釘装着部材又は遊技釘装着部が有底穴を有する筒状部材又は筒状部に形成されていても良いし、また、条件によっては、穴を有しない遊技釘装着部材又は遊技釘装着部である場合もある。
【００６５】
また、遊技盤を形成するに際して、必要以上に硬い樹脂を使用すると、重量増を招くと共に遊技釘が打ち込み難くなる、という不具合を生じることになるため、使用する遊技釘の硬度に応じて、当該遊技釘を取り付ける遊技盤の遊技釘装着部材又は遊技釘装着部を形成する非発泡樹脂の硬度を変化させるようにしても良い。さらに、遊技釘装着部材又は遊技釘装着部を形成する非発泡樹脂の硬度に応じて、本体部としての本体部材を形成する発泡樹脂の硬度を変化させるようにしても良い。
【００６６】
また、前記した各実施の形態では、遊技釘装着部（遊技釘装着部材）及び連結部（連結部材）を本体部（本体部材）より硬度が高い非発泡樹脂で構成していたが、本発明はこれに限るものではなく、遊技釘装着部（遊技釘装着部材）及び連結部（連結部材）は、本体部（本体部材）よりも硬度が高いものであれば、非発泡樹脂以外のものによって形成されていても良い。
【００６７】
また、前記した各実施の形態では、本体部（本体部材）を構成する発泡部材として発泡樹脂を用いていたが、本発明はこれに限るものではなく、本体部（本体部材）は金属フォーム（発泡金属）により形成された発泡部材で構成されていても良い。
【符号の説明】
【００６８】
１０…パチンコ遊技機（弾球遊技機）、３０，３０Ａ，３０Ｂ…遊技盤、３９…遊技釘、１１０，２１０，３１０…本体部材（本体部）、１２０，２２０…遊技釘装着部材（遊技釘装着部）、３２０…遊技釘装着部、１３０，２３０，３３０Ｂ…連結部材（連結部）、３３０Ａ…連結部
【図１】
2013102819.tif 000003
【図２】
2013102819.tif 000004
【図３】
2013102819.tif 000005
【図４】
2013102819.tif 000006
【図５】
2013102819.tif 000007
【図６】
2013102819.tif 000008
【図７】
2013102819.tif 000009
【図８】
2013102819.tif 000010
【図９】
2013102819.tif 000011
【図１０】
2013102819.tif 000012
【図１１】
2013102819.tif 000013
【図１２】
2013102819.tif 000014